(57)【要約】      （修正有）【課題】冷陰極蛍光ランプ等の電子部品を中空で安定して接続支持することができるコンタクト及び接続装置を提供する。【解決手段】コンタクト２００は、冷陰極蛍光ランプ１０が接続されるものであって、ベース部２１０と、ベース部２１０上に設けられ、冷陰極蛍光ランプ１０のリード端子１２を支持可能な支持部２２０と、ベース部２１０上に支持部２２０の両側に位置するように各々設けられ、当該支持部２２０との間で冷陰極蛍光ランプ１０のリード端子１２を各々挟持可能な少なくとも２つのクランプ部２３０とを備えている。【選択図】図１
2009146820.tif 000002
【特許請求の範囲】
【請求項１】
電子部品が接続されるコンタクトにおいて、
ベース部と、
ベース部上に設けられ、電子部品のリード端子を支持可能な支持部と、
ベース部上に支持部の両側に位置するように各々設けられ、当該支持部との間で電子部品のリード端子を各々挟持可能な少なくとも２つのクランプ部とを備えることを特徴とするコンタクト。
【請求項２】
請求項１記載のコンタクトにおいて、
ベース部は、平面視略Ｕ字状又は平面視略Ｏ字状の板体であって、第１の板部と、この第１の板部の両端に各々連続しており且つ同方向に向けて折り曲げられた２つの第２の板部とを有し、
支持部は第１の板部の上端に設けられ且つ第２の板部と同方向に向けて折り曲げられた板体であり、
クランプ部は第２の板部の上端に各々上方に向けて設けられた板体であることを特徴とするコンタクト。
【請求項３】
基板に実装される請求項２記載のコンタクトにおいて、
ベース部の下端に下方に向けて設けられた板体であり且つ基板に接続される接点部及びベース部の下端に下方に向けて設けられた板体であり且つ基板に係止される係止部の少なくとも一方を更に備えており、
接点部が基板に接続された状態及び係止部が基板に係止された状態の少なくとも一方の状態で、ベース部の下端面が基板上に当接するようになっていることを特徴とするコンタクト。
【請求項４】
請求項３記載のコンタクトにおいて、
接点部はベース部の第１の板部の下端に設けられており、
係止部はベース部の第２の板部の下端に各々下方に向けて設けられており、
接点部が基板に接続され且つ係止部が基板に各々係止された状態で、ベース部の下端面が基板上に当接するようになっていることを特徴とするコンタクト。
【請求項５】
請求項２記載のコンタクトにおいて、
クランプ部は、内側に向けて湾曲しており且つ電子部品のリード端子に弾性的に当接することにより、当該リード端子を支持部との間で挟持可能な当接部と、この当接部の上端に連続し且つ外側に向けて傾斜した傾斜部とを各々有しており、
傾斜部の上端の間の距離が電子部品のリード端子の幅寸法よりも大きく、当接部の頂部の間の距離が前記幅寸法よりも小さくなっていることを特徴とするコンタクト。
【請求項６】
本体部及びこの本体部の端部にその長さ方向に向けて設けられたリード端子を有する電子部品に接続されるアダプタと、
このアダプタを介して電子部品に接続される請求項１乃至４記載のコンタクトとを備えており、
アダプタは、電子部品のリード端子に電気的且つ機械的に接続される第１の接続部と、
電子部品の本体部の端部に対向配置される第２の接続部と、
第１、第２の接続部の間に設けられており且つ電子部品の長さ方向の熱膨張又は熱収縮に応じて弾性変形可能な弾性変形部とを有しており、
支持部は、電子部品のリード端子ではなく、第２の接続部を支持可能になっており、
クランプ部は、電子部品のリード端子ではなく、第２の接続部を前記支持部との間で挟持可能になっていることを特徴とする接続装置。
【請求項７】
本体部及びこの本体部の端部にその長さ方向に向けて設けられたリード端子を有する電子部品に接続されるアダプタと、
このアダプタを介して電子部品に接続される請求項５記載のコンタクトとを備えており、
アダプタは、電子部品のリード端子に電気的且つ機械的に接続される第１の接続部と、
電子部品の本体部の端部に対向配置される第２の接続部と、
第１、第２の接続部の間に設けられており且つ電子部品の長さ方向の熱膨張又は熱収縮に応じて弾性変形可能な弾性変形部とを有しており、
コンタクトの支持部は、電子部品のリード端子ではなく、第２の接続部を支持可能になっており、
クランプ部の当接部は、電子部品のリード端子ではなく、第２の接続部に当接することにより、当該第２の接続部を支持部との間で挟持可能になっており、
傾斜部の上端の間の距離は、電子部品のリード端子の幅寸法ではなく、第２の接続部の幅寸法よりも大きくなっており、
当接部の頂部の間の距離は、電子部品のリード端子の幅寸法ではなく、第２の接続部の幅寸法よりも小さくなっていることを特徴とする接続装置。
【請求項８】
請求項６又は７記載の接続装置において、
コンタクトは、ベース部の第２の板部の上端に各々上方に向けて設けられ且つ電子部品の本体部の端部を挟持可能な少なくとも２つの保持部を更に有していることを特徴とする接続装置。
【請求項９】
請求項８記載の接続装置において、
保持部は、電子部品の本体部の外形に応じて外側に湾曲した保持部本体と、この保持部本体の上端に連続し且つ外側に向けて傾斜した傾斜部とを各々有しており、
傾斜部の上端の間の距離が電子部品の本体部の幅寸法よりも大きく、当該傾斜部の下端の間の距離が前記幅寸法よりも小さくなっていることを特徴とする接続装置。
【請求項１０】
請求項６又は７記載の接続装置において、
第２の接続部は電子部品の本体部の端部が挿入可能な環状体であることを特徴とする接続装置。
【発明の詳細な説明】
【技術分野】
【０００１】
本発明は、冷陰極蛍光ランプ等の電子部品が接続されるコンタクト及び接続装置に関する。
【背景技術】
【０００２】
この種のコンタクトとしては、冷陰極蛍光ランプの端部に被せられるキャップ状のアダプタを挟持する一対のクランプ片を有したもの（特許文献１参照）や、前記アダプタが載置される載置部及びこの載置部上の前記アダプタを挟持する一対のクランプ片を有するもの（特許文献２参照）がある。
【０００３】
【特許文献１】実開昭６４−４８８５１号公報
【特許文献２】特開２００６−３５１５２９号公報
【発明の開示】
【発明が解決しようとする課題】
【０００４】
前者は、クランプ片でアダプタを挟持し中空支持するようになっていることから、冷陰極蛍光ランプが振動等すると、冷陰極蛍光ランプとの接続が不安定になる可能性がある。
【０００５】
一方、後者は、クランプ片が、載置部上のアダプタを挟持するようになっているため、冷陰極蛍光ランプとの接続が前者よりも安定するが、冷陰極蛍光ランプを中空支持するためには、後者自体を載せるための台が別途必要になる。
【０００６】
本発明は、上記事情に鑑みて創案されたものであって、その目的とするところは、冷陰極蛍光ランプ等の電子部品を中空で安定して接続支持することができるコンタクト及び接続装置を提供することにある。
【課題を解決するための手段】
【０００７】
上記課題を解決するために、本発明のコンタクトは、電子部品が接続されるコンタクトであって、ベース部と、ベース部上に設けられ、電子部品のリード端子を支持可能な支持部と、ベース部上に支持部の両側に位置するように各々設けられ、当該支持部との間で電子部品のリード端子を各々挟持可能な少なくとも２つのクランプ部とを備える構成となっている。
【０００８】
このようなコンタクトによる場合、ベース部上に支持部及びクランプ部が設けられているので、電子部品のリード端子が支持部により中空で支持されると共に、クランプ部及び支持部により挟持される。よって、前記コンタクトは、電子部品を中空で安定して接続支持することができる。
【０００９】
前記ベース部は、ベース部は、平面視略Ｕ字状又は平面視略Ｏ字状の板体であって、第１の板部と、この第１の板部の両端に各々連続しており且つ同方向に向けて折り曲げられた２つの第２の板部とを有する形状であることが好ましい。この場合、支持部は第１の板部の上端に設けられ且つ第２の板部と同方向に向けて折り曲げられた板体であり、クランプ部は第２の板部の上端に各々上方に向けて設けられた板体である。
【００１０】
この場合、クランプ部の間に電子部品のリード端子が挿入されると、当該リード端子がクランプ部及び支持部の間で挟持される。このため、リード端子の取り付け及び取り外しが非常に簡単になる。しかも、前記ベース部が平面視略Ｕ字状又は平面視略Ｏ字状であるので、基板等の電子機器の設置部上に設置されることにより、その設置状態が安定する。このため、電子部品を中空で安定して接続支持する上でメリットがある。また、前記ベース部、支持部及びクランプ部は一体的に設けられた板体であるので、プレス成型等により簡単に作成することができる。よって、コンタクトの低コスト化を図ることが可能になる。  
【００１１】
前記コンタクトが基板実装タイプである場合、前記コンタクトは  ベース部の下端に下方に向けて設けられた板体であり且つ基板に接続される接点部及びベース部の下端に下方に向けて設けられた板体であり且つ基板に係止される係止部の少なくとも一方を更に備えた構成とすることができる。この場合、接点部が基板に接続された状態及び係止部が基板に係止された状態の少なくとも一方の状態で、ベース部の下端面が基板上に当接するようになっている。
【００１２】
このように接点部が基板に接続及び／又は係止部が基板に係止された状態で、ベース部の下端面が基板上に当接するようになっているので、コンタクトの基板への接続及び／又は係止と共に、当該コンタクトを基板上に安定的に設置することができる。
【００１３】
接点部はベース部の第１の板部の下端に設けられていることが好ましく、係止部はベース部の第２の板部の下端に各々下方に向けて設けられていることが好ましい。この場合、接点部が基板に接続され且つ係止部が基板に各々係止された状態で、ベース部の下端面が基板上に当接するようになっている。
【００１４】
この場合、接点部が基板に半田等により接続され且つ係止部が基板に各々係止されることにより、ベース部が基板に少なくとも３点で取り付けられることになる。この状態で、ベース部が基板上に安定的に設置されるので、電子部品を中空で安定して接続支持する上でメリットがある。
【００１５】
本発明の第１の接続装置は、本体部及びこの本体部の端部にその長さ方向に向けて設けられたリード端子を有する電子部品に接続されるアダプタと、このアダプタを介して電子部品に接続される上記コンタクトとを備えている。前記アダプタは、電子部品のリード端子に電気的且つ機械的に接続される第１の接続部と、電子部品の本体部の端部に対向配置される第２の接続部と、第１、第２の接続部の間に設けられており且つ電子部品の長さ方向の熱膨張又は熱収縮に応じて弾性変形可能な弾性変形部とを有している。前記コンタクトの支持部は、電子部品のリード端子ではなく、第２の接続部を支持可能になっており、前記クランプ部は、電子部品のリード端子ではなく、第２の接続部を前記支持部との間で挟持可能になっている。
【００１６】
このような第１の接続装置による場合、アダプタの第１の接続部がリード端子に接続され且つ当該アダプタの第２の接続部がコンタクトのクランプ部及び支持部に挟持された状態で、電子部品が前記熱膨張又は熱収縮すると、弾性変形部が電子部品の長さ方向に弾性変形する。これにより、電子部品の熱膨張又は熱収縮が吸収される。このため、電子部品が前記熱膨張又は熱収縮することにより、アダプタの第１の接続部に接続された電子部品のリード端子及び本体部に掛かる負荷を低減することができる。
【００１７】
前記クランプ部は、内側に向けて湾曲しており且つ電子部品のリード端子に弾性的に当接することにより、当該リード端子を支持部との間で挟持可能な当接部と、この当接部の上端に連続し且つ外側に向けて傾斜した傾斜部とを各々有する形状とすることができる。この場合、前記傾斜部の上端の間の距離が電子部品のリード端子の幅寸法よりも大きく、当接部の頂部の間の距離が前記幅寸法よりも小さくなっていることが好ましい。
【００１８】
この場合、傾斜部の間に電子部品のリード端子が挿入されると、当接部がリード端子に押圧され、クランプ部が弾性変形し、外側に変位する。リード端子が当接部を乗り越えると、クランプ部が復帰し、内側に変位する。これにより、当接部がリード端子に当接し、支持部との間で当該リード端子を挟持するようになっている。このようにクランプ部の上端部である傾斜部が外側に傾斜し且つその間の距離がリード端子の幅寸法よりも大きくなっているので、挿入時に、リード端子がクランプ部の上端により傷つけられる等の不具合を防止できる。
【００１９】
本発明の第２の接続装置は、本体部及びこの本体部の端部にその長さ方向に向けて設けられたリード端子を有する電子部品に接続されるアダプタと、アダプタを介して電子部品に接続される上記コンタクトとを備えている。アダプタは、電子部品のリード端子に電気的且つ機械的に接続される第１の接続部と、電子部品の本体部の端部に対向配置される第２の接続部と、第１、第２の接続部の間に設けられており且つ電子部品の長さ方向の熱膨張又は熱収縮に応じて弾性変形可能な弾性変形部とを有している。コンタクトの支持部は、電子部品のリード端子ではなく、第２の接続部を支持可能になっており、クランプ部の当接部は、電子部品のリード端子ではなく、第２の接続部に当接することにより、当該第２の接続部を支持部との間で挟持可能になっており、傾斜部の上端の間の距離は、電子部品のリード端子の幅寸法ではなく、第２の接続部の幅寸法よりも大きくなっており、当接部の頂部の間の距離は、電子部品のリード端子の幅寸法ではなく、第２の接続部の幅寸法よりも小さくなっている。
【００２０】
このような第２の接続装置による場合、傾斜部の間にアダプタの第２の接続部が挿入されると、当接部が第２の接続部に押圧され、クランプ部が弾性変形し、外側に変位する。第２の接続部が当接部を乗り越えると、クランプ部が復帰し、内側に変位する。これにより、当接部が第２の接続部に当接し、支持部との間で当該第２の接続部を挟持する。このようにクランプ部の上端部である傾斜部が外側に傾斜し且つその間の距離が第２の接続部の幅寸法よりも大きくなっているので、挿入時に、第２の接続部がクランプ部の上端により傷つけられる等の不具合を防止できる。しかも、アダプタの第１の接続部がリード端子に接続され且つ当該アダプタの第２の接続部がコンタクトのクランプ部及び支持部に挟持された状態で、電子部品が前記熱膨張又は熱収縮すると、弾性変形部が電子部品の長さ方向に弾性変形する。これにより、電子部品の熱膨張又は熱収縮が吸収される。このため、電子部品が前記熱膨張又は熱収縮することにより、アダプタの第１の接続部に接続された電子部品のリード端子及び本体部に掛かる負荷を低減することができる。
【００２１】
前記コンタクトは、ベース部の第２の板部の上端に各々上方に向けて設けられ且つ電子部品の本体部の端部を挟持可能な少なくとも２つの保持部を更に有する構成とすることもできる。
【００２２】
このように保持部で電子部品の本体部を保持することにより、電子部品の振動等を抑制することができ、当該振動による負荷が電子部品全体に掛かったり、前記振動により電子部品の一部がアダプタに衝突したりするのを抑止することができる。
【００２３】
前記保持部は、電子部品の本体部の外形に応じて外側に湾曲した保持部本体と、この保持部本体の上端に連続し且つ外側に向けて傾斜した傾斜部とを各々有する形状とすることができる。この場合、傾斜部の上端の間の距離が電子部品の本体部の幅寸法よりも大きく、当該傾斜部の下端の間の距離が前記幅寸法よりも小さくなっていることが好ましい。
【００２４】
即ち、保持部の傾斜部の間に電子部品の本体部が挿入されると、当該傾斜部の下端部が本体部に押圧され、保持部が弾性変形し、外側に変位する。本体部が傾斜部の下端部を乗り越えると、保持部が復帰し、内側に変位する。これにより、保持部本体が本体部を挟持する。このように保持部の上端部である傾斜部が外側に傾斜し且つその間の距離が電子部品の本体部の幅寸法よりも大きくなっているので、挿入時に、本体部が保持部の上端により傷つけられる等の不具合を防止できる。
【００２５】
前記第２の接続部は電子部品の本体部の端部が挿入可能な環状体であることが好ましい。このように第２の接続部を環状体とすれば、コンタクトのクランプ部及び支持部の間で挟持し易くなる。
【発明を実施するための最良の形態】
【００２６】
以下、本発明の実施の形態に係る接続装置について図面を参照しつつ説明する。図１は本発明の実施の形態に係る接続装置のランプ接続状態を示す斜視図、図２は同装置のランプ接続状態を示す図であって、（ａ）が正面図、（ｂ）が背面図、図３は同装置のランプ接続状態を示す図であって、（ａ）が平面図、（ｂ）が側面図、図４は同装置のアダプタを示す図であって、（ａ）が側面図、（ｂ）が正面図、図５は同装置のコンタクトを示す斜視図であって、（ａ）が正面上側から見た図、（ｂ）が背面上側から見た図、図６は同装置のランプ接続状態を示す平面図であって、（ａ）が初期状態を示す図、（ｂ）は冷陰極蛍光ランプが熱膨張し、アダプタの弾性変形部が伸びた状態を示す図、（ｃ）は冷陰極蛍光ランプが熱収縮し、アダプタの弾性変形部が縮んだ状態を示す図である。
【００２７】
図１乃至図３に示す接続装置は、冷陰極蛍光ランプ１０（電子部品）のリード端子１２に接続されるアダプタ１００と、このアダプタ１００を介して冷陰極蛍光ランプ１０に接続され且つ電子機器（図示せず）の基板２０上に実装されるコンタクト２００とを備えている。以下、詳しく説明する。
【００２８】
冷陰極蛍光ランプ１０は、ランプ本体部１１と、このランプ本体部１１の長さ方向の両端部に同方向に向けて設けられた一対のリード端子１２とを備えている。なお、図１乃至３及び図６においては、図示の便宜上、ランプ本体部１１の一端部のみを図示している。
【００２９】
アダプタ１００は、図１乃至図４に示すように、導電性を有するコイルスプリングであって、冷陰極蛍光ランプ１０のリード端子１２に電気的且つ機械的に接続される第１の接続部１１０と、冷陰極蛍光ランプ１０のランプ本体部１１の一端部に対向配置される第２の接続部１２０と、第１、第２の接続部１１０、１２０の間に設けられており且つ冷陰極蛍光ランプ１０の長さ方向の熱膨張又は熱収縮に応じて弾性変形可能な弾性変形部１３０とを備えている。
【００３０】
第２の接続部１２０は前記コイルスプリングの座巻部である。この第２の接続部１２０の内径は、冷陰極蛍光ランプ１０のランプ本体部１１の外径より若干大きくなっている。即ち、ランプ本体部１１の一端部の基端部分が第２の接続部１２０に挿入可能になっている。このようにランプ本体部１１の一端部が第２の接続部１２０に挿入されることにより、第２の接続部１２０が前記一端部に対向配置される。
【００３１】
弾性変形部１３０は、第２の接続部１２０の端部に連続しており且つコイル間隔が第２の接続部１２０よりも粗である前記コイルスプリングのコイルバネ部である。この弾性変形部１３０のバネ力は、伸縮する際に、冷陰極蛍光ランプ１０のリード端子１２及びランプ本体部１１のリード端子１２の封止部に負荷が掛からないような力に設定されている。また、弾性変形部１３０の内径は第２の接続部１２０の内径と略同じになっている。これにより、ランプ本体部１１の端部の先端部分及びリード端子１２の基端部分が弾性変形部１３０に挿入可能になっている。
【００３２】
第１の接続部１１０は、略Ｌ字状の棒状体であって、弾性変形部１３０の端部に連続し且つ前記コイルスプリングの中心に向けて折り曲げられた基端部と、この基端部に連続し且つ前記長さ方向の一端側に向けて直角に折り曲げられた先端部とを有している。この第１の接続部１１０の先端部がリード端子１２の先端部分に半田付け又は溶接等により電気的且つ機械的に接続されるようになっている。
【００３３】
このような構成のアダプタ１００は次のように冷陰極蛍光ランプ１０に接続される。まず、冷陰極蛍光ランプ１０のランプ本体部１１の端部及びリード端子１２をアダプタ１００の第２の接続部１２０及び弾性変形部１３０に順次挿入し、当該リード端子１２の先端部分を第１の接続部１１０の先端部に当接させる。すると、ランプ本体部１１の端部の先端部分及びリード端子１２の基端部分が弾性変形部１３０内に配置され、ランプ本体部１１の端部の基端部分が第２の接続部１２０内に配置される。
【００３４】
その後、冷陰極蛍光ランプ１０のリード端子１２と第１の接続部１１０の先端部とを半田付け又は溶接等により電気的且つ機械的に接続する。このようにしてアダプタ１００が冷陰極蛍光ランプ１０に電気的且つ機械的に接続される。
【００３５】
基板２０は、周知のプリント基板であって、２つの係止孔２１と、スルーホール２２とを有している。係止孔２１及びスルーホール２２は基板２０をその厚み方向に貫通する楕円形の長穴である。
【００３６】
コンタクト２００は、図１乃至図３及び図５に示すように、プレス成型された導電性を有する金属板であって、平面視略Ｕ字状のベース部２１０と、ベース部２１０の中間部（第１の板部）の上端に延設された支持部２２０と、ベース部２１０の両端部（第２の板部）の基端側部分の上端に各々上方に向けて延設された２つのクランプ部２３０と、ベース部２１０の両端部の先端側部分の上端に各々上方に向けて延設された２つの保持部２４０と、ベース部２１０の中間部の下端に下方に向けて延設された接点部２５０と、ベース部２１０の両端部の下端に各々下方に向けて延設された２つの係止部２６０とを備えている。
【００３７】
ベース部２１０は、略矩形状の板体である中間部と、この中間部の両端に各々連続し且つ当該中間部に対して略直角に折り曲げられた両端部とを有する。このベース部２１０の両端部は、前記中間部と同じ高さの略矩形状の板体である前記基端側部分と、この基端側部分の下端部に連続する略矩形状の板体である前記先端側部分とを有している。
【００３８】
支持部２２０は、ベース部２１０の両端部と同じ方向に向けて略直角に折り曲げられた側面視横向き略Ｌ字状の板体であって、ベース部２１０の中間部の上端に連続する垂直部と、この垂直部の上端に連続し且つ当該垂直部に対して略直角に折り曲げられた水平部とを有する。前記水平部はアダプタ１００の第２の接続部１２０が冷陰極蛍光ランプ１０のランプ本体部１１と共に載置される部分である。前記水平部の長さ寸法はベース部２１０の両端部の基端側部分の長さ寸法より若干長く且つベース部２１０の両端部の先端側部分上の保持部２４０の折曲部２４１に干渉しない長さとなっている。
【００３９】
各クランプ部２３０は、ベース部２１０の前記基端側部分の長さ寸法よりも若干短い幅寸法を有する板体であって、前記基端側部分の上端に連続する延長部２３１と、この延長部２３１の上端に連続する当接部２３２と、当接部２３２の上端に連続する傾斜部２３３とを有している。
【００４０】
延長部２３１は、ベース部２１０の両端部の基端側部分に続く直線状の板部であって、支持部２２０の側方に位置している。当接部２３２は内側に向けて山形に湾曲した板部である。傾斜部２３３は外側に向けて傾斜するように折り曲げられた板部である。
【００４１】
両傾斜部２３３の上端の間の距離はアダプタ１００の第２の接続部１２０の直径（即ち、幅寸法）よりも大きくなっている。両当接部２３２の頂部の間の距離は第２の接続部１２０の直径よりも小さくなっている。このため、傾斜部２３３の間から第２の接続部１２０が挿入されると、当接部２３２が第２の接続部１２０に各々押圧され、クランプ部２３０が各々弾性変形し外側に変位する。第２の接続部１２０が当接部２３２を乗り越えると、クランプ部２３０が各々復帰し内側に変位する。これにより、当接部２３２が第２の接続部１２０に斜め上方から当接し、当該第２の接続部１２０を支持部２２０との間で挟持する。なお、両傾斜部２３３の上端の間の距離がアダプタ１００の第２の接続部１２０の直径よりも大きくなっていることにより、傾斜部２３３の間に第２の接続部１２０が挿入される際に、傾斜部２３３の上端が第２の接続部１２０を傷つけないようになっている。
【００４２】
各保持部２４０は、板体であって、ベース部２１０の前記先端側部分の上端に連続する折曲部２４１と、この折曲部２４１の上端に連続する保持部本体２４２と、この保持部本体２４２の上端に連続する傾斜部２４３とを有している。
【００４３】
折曲部２４１は内側に向けて傾斜するように折り曲げられた直線状の板部である。保持部本体２４２は冷陰極蛍光ランプ１０のランプ本体部１１の外形に応じて外側に円弧状に湾曲した板部である。傾斜部２４３は外側に向けて傾斜するように折り曲げられた直線状の板部である。
【００４４】
両傾斜部２４３の上端の間の距離はランプ本体部１１の直径（即ち、幅寸法）よりも大きくなっており、当該傾斜部２４３の下端の間の距離はランプ本体部１１の直径よりも小さくなっている。このため、傾斜部２４３の間からランプ本体部１１が挿入されると、傾斜部２４３の下端部が各々押圧され、保持部２４０が各々弾性変形し外側に変位する。ランプ本体部１１が傾斜部２４３の下端部を乗り越えると、保持部２４０が各々復帰し内側に変位する。これにより、保持部本体２４２がランプ本体部１１を挟持する。なお、傾斜部２４３の上端の間の距離がランプ本体部１１の直径よりも大きくなっていることにより、傾斜部２４３の間にランプ本体部１１が挿入される際に、傾斜部２４３の上端がランプ本体部１１を傷つけないようになっている。
【００４５】
接点部２５０は、先端部の両角部がカットされた直線状の板体であって、基板２０のスルーホール２２に挿入され且つ電気的に接続されるようになっている。
【００４６】
各係止部２６０は、弾性変形可能な逆略Ｕ字状のアーム部２６１と、このアーム部２６１の両先端部に各々設けられた外側に凸の一対の係止爪２６２とを有する。
【００４７】
一対の係止爪２６２は、基板２０の係止孔２１に挿入され、当該係止孔２１の長さ方向の両縁部の下面に係止される。これにより、コンタクト２００が基板２０上に取り付けられる。
【００４８】
アーム部２６１の両先端部の長さ寸法は基板２０の厚み寸法と略同じになっている。このため、係止爪２６２が基板２０の係止孔２１の両縁部に各々係止された状態で、ベース部２１０の下端面が基板２０上に当接するようになっている。
【００４９】
このような構成のコンタクト２００は次のように基板２０上に実装される。まず、コンタクト２００の２つの係止部２６０を基板２０の２つの係止孔２１に位置合わせをしつつ挿入する。すると、係止部２６０の一対の係止爪２６２が係止孔２１の両縁部の上端に各々押圧され、当該係止部２６０のアーム部２６１の両先端部が内側に弾性変形する。
【００５０】
そして、係止部２６０の一対の係止爪２６２が係止孔２１の両縁部を乗り越えると、係止部２６０のアーム部２６１の両先端部が外側に弾性変形する。これにより、係止爪２６２が係止孔２１の両縁部の下面に係止される。すると、ベース部２１０の下端面が基板２０上に当接する。このようにしてコンタクト２００が基板２０上に取り付けられる。
【００５１】
これと共に、コンタクト２００の接点部２５０が基板２０のスルーホール２２に挿入される。これによりコンタクト２００が基板２０に電気的に接続される。
【００５２】
以下、上述の如く冷陰極蛍光ランプ１０が接続されたアダプタ１００を基板２０上に実装されたコンタクト２００に接続する手順について説明する。
【００５３】
まず、アダプタ１００の第２の接続部１２０をコンタクト２００の２つのクランプ部２３０の傾斜部２３３の間、冷陰極蛍光ランプ１０のランプ本体部１１の端部をコンタクト２００の２つの保持部２４０の傾斜部２４３の間に押し入れる。
【００５４】
すると、クランプ部２３０の当接部２３２が第２の接続部１２０に各々押圧され、クランプ部２３０が各々弾性変形し外側に変位する。第２の接続部１２０が当接部２３２を乗り越えると、クランプ部２３０が各々復帰し内側に変位する。これにより、当接部２３２が第２の接続部１２０に斜め上方から当接し、当該第２の接続部１２０を支持部２２０との間で挟持する。
【００５５】
これと共に、傾斜部２４３の下端部がランプ本体部１１に各々押圧され、保持部２４０が各々弾性変形し外側に変位する。ランプ本体部１１が傾斜部２４３の下端部を乗り越えると、保持部２４０が各々復帰し内側に変位する。これにより、保持部本体２４２がランプ本体部１１を挟持する。このようにして冷陰極蛍光ランプ１０及びアダプタ１００がコンタクト２００に中空支持されると共に、冷陰極蛍光ランプ１０がアダプタ１００を介してコンタクト２００に電気的に接続される。
【００５６】
このようにアダプタ１００及び冷陰極蛍光ランプ１０がコンタクト２００に接続された状態で、図６（ｂ）に示すように、冷陰極蛍光ランプ１０がその長さ方向に熱膨張すると、アダプタ１００の弾性変形部１３０が伸び、アダプタ１００の第１の接続部１１０が冷陰極蛍光ランプ１０のリード端子１２と共に前記長さ方向の図示右側に移動する。
【００５７】
一方、図６（ｃ）に示すように、冷陰極蛍光ランプ１０がその長さ方向に熱収縮すると、アダプタ１００の弾性変形部１３０が縮み、アダプタ１００の第１の接続部１１０が冷陰極蛍光ランプ１０のリード端子１２と共に前記長さ方向の図示左側に移動する。
【００５８】
このとき、アダプタ１００の第２の接続部１２０はコンタクト２００の２つのクランプ部２３０に挟持されているので、冷陰極蛍光ランプ１０のランプ本体部１１の熱膨張又は熱収縮に伴って前記長さ方向に移動しない。
【００５９】
このようにして冷陰極蛍光ランプ１０の熱膨張又は熱収縮がアダプタ１００の弾性変形部１３０の弾性変形により吸収される。
【００６０】
以下、冷陰極蛍光ランプ１０及びアダプタ１００をコンタクト２００から取り外す手順について説明する。まず、冷陰極蛍光ランプ１０を上方に持ち上げる。すると、クランプ部２３０の当接部２３２がアダプタ１００の第２の接続部１２０に各々押圧され、クランプ部２３０が各々弾性変形し外側に変位する。その後、第２の接続部１２０が当接部２３２を乗り越えると、第２の接続部１２０がクランプ部２３０の傾斜部２３３の間から取り出される。その後、クランプ部２３０が各々復帰し内側に変位する。
【００６１】
これと共に、コンタクト２００の保持部本体２４２の上端部が冷陰極蛍光ランプ１０のランプ本体部１１に各々押圧され、保持部２４０が各々弾性変形し外側に変位する。ランプ本体部１１が保持部本体２４２の上端部を乗り越えると、ランプ本体部１１が保持部２４０の傾斜部２４３の間から取り出される。その後、保持部２４０が各々復帰し内側に変位する。このように冷陰極蛍光ランプ１０及びアダプタ１００をコンタクト２００から簡単に取り外すことができる。
【００６２】
このような接続装置による場合、コンタクト２００の平面視略Ｕ字状のベース部２１０の下端面が基板２０上に当接することにより、当該基板２０上に安定的に設置される。また、ベース部２１０の上端に設けられた支持部２２０及びクランプ部２３０により、アダプタ１００の第２の接続部１２０が冷陰極蛍光ランプ１０と共に挟持される。このため、前記接続装置のコンタクト２００は、冷陰極蛍光ランプ１０を中空で安定的に接続保持することができる。また、コンタクト２００の保持部２４０により、冷陰極蛍光ランプ１０のランプ本体部１１が挟持されるので、ランプ本体部１１の振動等を押さえることができる。このため、前記振動による負荷が冷陰極蛍光ランプ１０全体に掛かったり、前記振動により冷陰極蛍光ランプ１０の一部がアダプタに衝突したりするのを抑止することができる。
【００６３】
しかも、コンタクト２００はプレス成型品であるので、安価に作成することができる。従って、低コスト化を図る上でメリットがある。
【００６４】
更に、アダプタ１００は、弾性変形部１３０の弾性変形により、冷陰極蛍光ランプ１０が熱膨張又は熱収縮を吸収することができるようになっている。このため、冷陰極蛍光ランプ１０のランプ本体部１１の端部及びリード端子１２が、熱膨張又は熱収縮により、コンタクト２００に挟持されたアダプタ１００に押し付けられたり当該アダプタ１００から引き剥がされたりするのを防止することができるので、前記熱膨張又は熱収縮の際に、冷陰極蛍光ランプ１０に掛かる負荷を低減することができる。
【００６５】
なお、上記接続装置は特許請求の範囲の趣旨に適う限り任意に変更することができる。以下、詳しく説明する。図７はアダプタの第１の設計変更例を示す図であって、（ａ）側面図、（ｂ）は冷陰極蛍光ランプに接続された状態の斜視図、図８はアダプタの第２の設計変更例を示す図であって、（ａ）斜視図、（ｂ）は冷陰極蛍光ランプに接続された状態の側面図、図９は（ａ）がアダプタの第３の設計変更例を示す斜視図、（ｂ）がアダプタの第４の設計変更例を示す斜視図、図１０はコンタクトの第１の設計変更例を示す斜視図であって、アダプタ及び冷陰極蛍光ランプが接続された状態の図、図１１はコンタクトの第２の設計変更例を示す斜視図であって、（ａ）が正面上側から見た図、（ｂ）が背面上側から見た図である。
【００６６】
上記アダプタについては、電子部品のリード端子に電気的且つ機械的に接続される第１の接続部と、電子部品の本体部の端部に対向配置される第２の接続部と、第１、第２の接続部の間に設けられており且つ電子部品の長さ方向の熱膨張又は熱収縮に応じて弾性変形可能な弾性変形部とを備えている限り任意に変更することができる。
【００６７】
例えば、図７に示すように、前記アダプタは、第１の接続部が円筒状のコイル体であり、弾性変形部が円錐状のコイル体である上記実施例と別のコイルスプリングタイプとすることができるし、図８に示すように、プレス成型された導電性を有する金属板で構成されるタイプとすることもできる。
【００６８】
後者のアダプタは、断面略Ｌ字状の板体であり且つ中心部に前記リード端子が挿入される挿入孔が設けられた第１の接続部と、先端面同士が対向するにように円筒状に湾曲した第２の接続部と、第１、第２の接続部の間に設けられた弾性変形部とを備えている。前記弾性変形部は、第１、第２、第３のベース板及び変形部を有する。第１のベース部は、第２の接続部の中間部の端部に連続して設けられている。第２、第３のベース部は、前記第１のベース部と第１の接続部の基端部との間に間隔を空けて配置されている。第１の変形部は第１及び第２のベース部の両端の間に各々設けられた一対のＵ字状部材を有している。第２の変形部は第２及び第３のベース部の両端の間に各々設けられた一対のＵ字状部材を有している。第３の変形部は第３のベース部と第１の接続部の基端部との間に各々設けられた一対のＵ字状部材を有している。各Ｕ字状部材は半円弧状に湾曲しており、その両端部が互いに近づく方向又は離れる方向に弾性変形可能になっている。即ち、各Ｕ字状部材の弾性変形により、電子部品の熱膨張又は熱収縮を吸収するようになっている。なお、前記アダプタは、前記第２の接続部の後端部に、図９（ａ）に示すように、スカート部を設けたり、図９（ｂ）に示すように、複数のフランジ部を設けたりすることも可能である。
【００６９】
上記コンタクトについては、電子部品が接続されるコンタクトであって、ベース部と、ベース部上に設けられ、電子部品のリード端子を支持可能な支持部と、ベース部上に支持部の両側に位置するように各々設けられ、当該支持部との間で電子部品のリード端子を各々挟持可能な少なくとも２つのクランプ部とを備えている限り任意に設計変更することができる。
【００７０】
前記ベース部については、前記保持部及び少なくとも２つのクランプ部が設けられている限りどのような設計変更を行っても構わない。例えば、図１０に示すように、前記ベース部は、平面視略Ｏ字状の板体であって、保持部が延設された第１の板体と、この第１の板体の両端から同方向に向けて折り曲げられており且つクランプ部が上方に向けて延設された二つの第２の板体と、第２の板体の端部から先端面が互いに対向するように折り曲げられた二つの第３の板体とを備える構成とすることもできる。このように前記ベース部が平面視略Ｏ字状の板体であったとしても、基板上に安定的に設置することができる。
【００７１】
また、前記ベース部は板体だけに限定されるものではない。例えば、前記ベース部を樹脂製の台座等とすることもできる。なお、前記ベース部は、その一部を前記支持部として用いることも可能である。また、前記接点部が基板に接続及び／又は係止部が基板に係止された状態で、前記ベース部の下面が基板上に当接可能になっていることが好ましいが、これに限定されるものではない。
【００７２】
前記支持部については前記アダプタの第２の接続部を支持するとしたが、これに限定されるものではなく、冷陰極蛍光ランプ等の電子部品のリード端子を支持する構成とすることが可能である。
【００７３】
前記クランプ部については前記支持部との間で前記アダプタの第２の接続部又は冷陰極蛍光ランプ等の電子部品のリード端子を挟持可能な構成である限り任意に設計変更することが可能である。例えば、前記クランプ部を外側に凸の円弧状の板体とすることができる。また、上記実施例では、前記クランプ部は２つであるとしたが、それ以上であっても良い。例えば、３つのクランプ部を千鳥状に配置し、前記支持部との間で第２の接続部又はリード端子を挟持するようにしても良い。
【００７４】
上記保持部については設けるか否かは任意である。即ち、図１０及び図１１に示すように、省略することが可能である。また、前記保持部については、電子部品の本体部を挟持し得る形状である限り任意に設計変更することができる。例えば、前記保持部をクランプ部２３０と同形状とし、前記支持部にアダプタの第２の接続部と共に支持された電子部品の本体部を挟持させるようにしても良い。
【００７５】
上記接点部についても設けるか否かは任意である。即ち、前記ベース部を基板等に直接接続させるようにしても良いし、前記ベース部に信号線を接続し当該信号線を介して基板等に接続させるようにしても良い。また、接点部の形状については、基板に接続しうる限り任意に設計変更することが可能である。例えば、図１０に示すように、前記接点部がベース部の両端部に対して略直角に折り曲げられた板体であり、基板上のパターンに接続される形状とすることができる。また、前記接点部は、半田付け等で基板に電気的且つ機械的に接続されることにより、当該基板への取付手段として機能させることができる。
【００７６】
上記係止部についても設けるか否かは任意である。また、係止部の形状については等に係止可能である限り任意に設計変更することができる。従って、ここでいう前記係止部は、係止爪等の雄側だけでなく、基板等に設けた係止凸部を係止する係止孔又は係止溝の雌側も含んでいる。
【００７７】
上記実施例では、電子部品が冷陰極蛍光ランプであるとしたが、これに限定されるものではない。電子部品の本体部及びリード端子は円柱状に限定されるものではない。なお、各部の形状及び配置については、上記実施例と同様の機能を実現可能である限り任意に変更することができる。
【図面の簡単な説明】
【００７８】
【図１】本発明の実施の形態に係る接続装置のランプ接続状態を示す斜視図である。
【図２】同装置のランプ接続状態を示す図であって、（ａ）が正面図、（ｂ）が背面図である。
【図３】同装置のランプ接続状態を示す図であって、（ａ）が平面図、（ｂ）が側面図である。
【図４】同装置のアダプタを示す図であって、（ａ）が側面図、（ｂ）が正面図である。
【図５】同装置のコンタクトを示す斜視図であって、（ａ）が正面上側から見た図、（ｂ）が背面上側から見た図である。
【図６】同装置のランプ接続状態を示す平面図であって、（ａ）が初期状態を示す図、（ｂ）が冷陰極蛍光ランプが熱膨張し、アダプタの弾性変形部が伸びた状態を示す図、（ｃ）が冷陰極蛍光ランプが熱収縮し、アダプタの弾性変形部が縮んだ状態を示す図である。
【図７】アダプタの第１の設計変更例を示す図であって、（ａ）側面図、（ｂ）は冷陰極蛍光ランプに接続された状態の斜視図である。
【図８】アダプタの第２の設計変更例を示す図であって、（ａ）斜視図、（ｂ）は冷陰極蛍光ランプに接続された状態の側面図である。
【図９】（ａ）がアダプタの第３の設計変更例を示す斜視図、（ｂ）がアダプタの第４の設計変更例を示す斜視図である。
【図１０】コンタクトの第１の設計変更例を示す斜視図であって、アダプタ及び冷陰極蛍光ランプが接続された状態の図である。
【図１１】コンタクトの第２の設計変更例を示す斜視図であって、（ａ）が正面上側から見た図、（ｂ）が背面上側から見た図である。
【符号の説明】
【００７９】
１０  冷陰極蛍光ランプ（電子部品）
１１  ランプ本体部（本体部）
１２  リード端子
２０  基板
２１  係止孔
２２  スルーホール
１００  アダプタ
１１０  第１の接続部
１２０  第２の接続部
１３０  弾性変形部
２００  コンタクト
２１０  ベース部
２２０  支持部
２３０  クランプ部
２３２  当接部
２３３  傾斜部
２４０  保持部
２４２  保持部本体
２４３  傾斜部
２５０  接点部
２６０  係止部
【図１】
2009146820.tif 000003
【図２】
2009146820.tif 000004
【図３】
2009146820.tif 000005
【図４】
2009146820.tif 000006
【図５】
2009146820.tif 000007
【図６】
2009146820.tif 000008
【図７】
2009146820.tif 000009
【図８】
2009146820.tif 000010
【図９】
2009146820.tif 000011
【図１０】
2009146820.tif 000012
【図１１】
2009146820.tif 000013